(57)【特許請求の範囲】
【請求項１】
下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード上方に副吸込口を形成し、この副吸込口と前記第２の吸込口とを連通し、前記フードの上面前部に設けられる幕板に副吸込用開口を設け、前記副吸込用開口と前記幕板より後方側に位置する副吸込口とを連通する副排気通風路を形成し、前記副吸込用開口を開閉する第１のダンパーを設け、部屋全体を換気する全体換気時は前記第１のダンパーを開く構成としたものであって、前記幕板に室外と連通する給気用開口を設けるとともに、前記給気用開口を開閉する第２のダンパーを設け、レンジフード停止時には前記第２のダンパーと前記第１のダンパーを閉じ、調理時のレンジフード運転時には前記第２のダンパーを開き、前記第１のダンパーを閉じ、全体換気時には前記第２のダンパーを閉じ、前記第１のダンパーを開く構成としたことを特徴とするレンジフード。
【請求項２】
副排気通風路と主排気通風路とを仕切る仕切板を設けた請求項１記載のレンジフード。
【請求項３】
副吸込口にフィルターを設けた請求項１または２に記載のレンジフード。
【請求項４】
両吸込形送風機の第１の吸込口および第２の吸込口を、上面および下面に設けた請求項１〜３のいずれかに記載のレンジフード。
【請求項５】
両吸込形送風機の第１の吸込口および第２の吸込口を両側面に設けた請求項１〜３のいずれかに記載のレンジフード。
【請求項６】
主吸込口に第３のダンパーを設け、調理時に前記第３のダンパーを開いて、前記主吸込口から調理による汚染空気を排気する調理時換気を行い、非調理時に前記第３のダンパーを閉じて、副吸込口から部屋全体を換気する全体換気を行う構成とした請求項１〜５のいずれかに記載のレンジフード。
【請求項７】
両吸込形送風機の第１の吸込口と第２の吸込口を仕切る羽根の主板に開口を設けた請求項６記載のレンジフード。
【請求項８】
フード前面に加熱調理器からの操作信号を受信する受信部を設け、受信する前記操作信号に応じて、調理時換気、全体換気または停止に運転状態を切り替える構成とした請求項６記載のレンジフード。
【請求項９】
フード前面に加熱調理器の温度を検知する検知部を設け、前記検知部の検知温度に応じて、調理時換気、全体換気または停止に運転状態を切り替える構成とした請求項６記載のレンジフード。
【請求項１０】
フード前面に加熱調理器の磁力を検知する検知部を設け、前記検知部の検知磁力に応じて、調理時換気、全体換気または停止に運転状態を切り替える構成とした請求項６記載のレンジフード。
【発明の詳細な説明】
【技術分野】
【０００１】
本発明は、調理時にレンジから上昇する油煙や臭い、排気ガスなどの汚染空気を効率的に捕集し排気するレンジフードに関する。
【背景技術】
【０００２】
従来、この種のレンジフードとしては、調理時に捕集しきれずに漏れて天井部に滞留する汚染空気を、レンジフードを設置する部屋全体を換気する全体換気用の吸込口にて排気するものが知られている（例えば、特許文献１参照）。
【０００３】
以下、そのレンジフードについて図３を参照しながら説明する。
【０００４】
図に示すように、主吸込口１０１と副吸込口１０２とを有する両面吸込みの遠心ファン１０３と、遠心ファン１０３を収容する箱型のケーシング１０４とを備え、ケーシング１０４の底壁１０５に、加熱調理器から発生する汚染空気を排気する局所換気用の吸込口１０６が形成され、局所換気用の吸込口１０６に近接して、ケーシング１０４の側壁１０７に全体換気用の吸込口１０８が形成された構成としている。
【特許文献１】特開平８−２４０３３３号公報（第４−５頁、第１図）
【発明の開示】
【発明が解決しようとする課題】
【０００５】
このような従来のレンジフードでは、局所換気で捕集できずに漏れて天井部に滞留した汚染空気を全体換気にて排気するため、室内に臭いが拡散したり、霧状の油煙等が部屋の壁や家具などに付着するため、室内環境が汚染されるという課題があった。
【０００６】
本発明は、このような従来の課題を解決するものであり、レンジから漏れて天井付近に滞留した汚染空気を効率的に排気するレンジフードを提供することを目的としている。
【課題を解決するための手段】
【０００７】
本発明のレンジフードは上記目的を達成するために、下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード上方に副吸込口を形成し、この副吸込口と前記第２の吸込口とを連通したものである。
【０００８】
また、他の手段は、フードの上面前部に設けられる幕板に副吸込用開口を設け、前記副吸込用開口と前記幕板より後方側に位置する副吸込口とを連通する副排気通風路を形成したものである。
【０００９】
また、他の手段は、副吸込用開口を開閉する第１のダンパーを設け、部屋全体を換気する全体換気時は前記第１のダンパーを開く構成としたものである。
【００１０】
また、他の手段は、幕板に室外と連通する給気用開口を設けるとともに、前記給気用開口を開閉する第２のダンパーを設け、レンジフード停止時には前記第２のダンパーと前記第１のダンパーを閉じ、調理時のレンジフード運転時には前記第２のダンパーを開き、前記第１のダンパーを閉じ、全体換気時には前記第２のダンパーを閉じ、前記第１のダンパーを開く構成としたものである。
【００１１】
また、他の手段は、副排気通風路と主排気通風路とを仕切る仕切板を設けたものである。
【００１２】
また、他の手段は、副吸込口にフィルターを設けたものである。
【００１３】
また、他の手段は、両吸込形送風機の第１の吸込口および第２の吸込口を、上面および下面に設けたものである。
【００１４】
また、他の手段は、両吸込形送風機の第１の吸込口および第２の吸込口を両側面に設けたものである。
【００１５】
また、他の手段は、主吸込口に第３のダンパーを設け、調理時に前記第３のダンパーを開いて、前記主吸込口から調理による汚染空気を排気する調理時換気を行い、非調理時に前記第３のダンパーを閉じて、副吸込口から部屋全体を換気する全体換気を行う構成としたものである。
【００１６】
また、他の手段は、両吸込形送風機の第１の吸込口と第２の吸込口を仕切る羽根の主板に開口を設けたものである。
【００１７】
また、他の手段は、フード前面に加熱調理器からの操作信号を受信する受信部を設け、受信する前記操作信号に応じて、調理時換気、全体換気または停止に運転状態を切り替える構成としたものである。
【００１８】
また、他の手段は、フード前面に加熱調理器の温度を検知する検知部を設け、前記検知部の検知温度に応じて、調理時換気、全体換気または停止に運転状態を切り替える構成としたものである。
【００１９】
また、他の手段は、フード前面に加熱調理器の磁力を検知する検知部を設け、前記検知部の検知磁力に応じて、調理時換気、全体換気または停止に運転状態を切り替える構成としたものである。
【発明の効果】
【００２０】
本発明によれば、レンジより上昇する調理時に発生する汚染空気の大部分を両吸込形送風機の第１の吸込口に連通する主吸込口で捕集し、主吸込口で捕集しきれない汚染空気を第２の吸込口に連通するフード上方に設けた副吸込口で捕集して、全体換気にて効率良く排気するレンジフードを提供できる。
【００２１】
また、幕板によってフード上方に設けた副吸込口を覆い隠すこととなり、そして、幕板の副吸込用開口は垂直方向に形成されているので埃の堆積がほとんどなく、また、幕板の副吸込用開口はフード上方の見えにくい箇所に位置するのでデザイン性を損なわず、さらに、薄型のフードでフード上面に設けた副吸込口が天井から離れている場合でも、幕板の副吸込用開口を天井近傍に設けることによって、天井付近の汚染空気を副吸込口で効率的に捕集することができる。
【００２２】
また、調理時の加熱調理器付近の局所換気で捕集できず天井付近に漂っている汚染空気を、調理後の全体換気において幕板の副吸込用開口に設けた第１のダンパーを開いて捕集することにより、部屋全体の汚染空気を効率良く排気することができる。
【００２３】
また、調理時には、幕板の給気用開口に設けた第２のダンパーを開いて外気を給気するとともに、第１のダンパーを閉じて主吸込口から効率よく排気し、調理後には、第１のダンパーを開き第２のダンパーを閉じて天井付近に漂っている部屋全体の汚染空気を捕集して、効率良く排気することができる。
【００２４】
また、副排気通風路と主排気通風路とを仕切る仕切板によって、主吸込口から吸い込んだ油を多く含んだ汚染空気が副排気通風路へ流れるのを阻止して、油汚れの発生する部分を主排気通風路側に限定し、また、部屋全体の換気により埃を多く含んだ部屋内の空気を副吸込口側に限定して、埃と油の混合した固着を防止することにより、レンジフードの掃除の手間を軽減できる。
【００２５】
また、全体換気にて排気される汚染空気に多く含まれる埃を、副吸込口に設けたフィルターで捕集することにより、羽根の埃堆積を防止することができる。
【００２６】
また、両吸込形送風機の第１の吸込口および第２の吸込口を上面および下面に設けることによって、フード上方の副吸込口と下面の主吸込口に対応させて送風機を配置することができ、薄型としたフードでも効率よく汚染空気を捕集することができる。
【００２７】
また、両吸込形送風機の第１の吸込口および第２の吸込口を両側面に設けることによって、深形のフードを備えたレンジフード、あるいは、送風機を備えたファンユニットがフード上面に設けられたレンジフードの場合でも、調理時に発生する汚染空気の大部分を第１の吸込口に連通する主吸込口で捕集し、主吸込口で捕集しきれずフードより漏れた汚染空気を第２の吸込口に連通する副吸込口で捕集することによって、部屋内の汚染空気を効率良く捕集することができる。
【００２８】
また、調理時には主吸込口に設けた第３のダンパーを開いて主吸込口から油の多い汚染空気を排気し、非調理時には第３のダンパーを閉じて、埃の多く含む全体換気を副吸込口から行うことができる。
【００２９】
また、羽根の主板に開口を設けることによって、調理時の換気および非調理時の全体換気の双方において、羽根を効率的に使用することができることとなる。
【００３０】
また、加熱調理器からの操作信号によってレンジフードの運転状態を切り替えることにより、調理の前後で手動操作をすることなく、自動的に局所換気、全体換気または停止に切り替えて、室内の汚染空気を効率的に排気することができる。
【００３１】
また、加熱調理器の温度を検知して、その検知温度によってレンジフードの運転状態を切り替えることにより、調理の前後で手動操作をすることなく、自動的に局所換気、全体換気または停止に切り替えて、室内の汚染空気を効率的に排気することができる。
【００３２】
また、とくに電磁力による加熱調理器の場合に磁力を検知して、その検知磁力によってレンジフードの運転状態を切り替えることにより、調理の前後で手動操作をすることなく、自動的に局所換気、全体換気または停止に切り替えて、室内の汚染空気を効率的に排気することができる。
【発明を実施するための最良の形態】
【００３６】
本発明の請求項１記載のレンジフードは、下面に主吸込口と天面または側面に排気口を有したフードと、前記フードの内部に設けられ、互いに反対方向に開口した第１の吸込口および第２の吸込口を有した両吸込形送風機とを備え、前記両吸込形送風機はその吐出口が前記フードの前記排気口に連通し、前記第１の吸込口が前記フードの前記主吸込口に主排気通風路を形成して連通するとともに、前記フード上方に副吸込口を形成し、この副吸込口と前記第２の吸込口とを連通し、前記フードの上面前部に設けられる幕板に副吸込用開口を設け、前記副吸込用開口と前記幕板より後方側に位置する副吸込口とを連通する副排気通風路を形成し、前記副吸込用開口を開閉する第１のダンパーを設け、部屋全体を換気する全体換気時は前記第１のダンパーを開く構成としたものであって、前記幕板に室外と連通する給気用開口を設けるとともに、前記給気用開口を開閉する第２のダンパーを設け、レンジフード停止時には前記第２のダンパーと前記第１のダンパーを閉じ、調理時のレンジフード運転時には前記第２のダンパーを開き、前記第１のダンパーを閉じ、全体換気時には前記第２のダンパーを閉じ、前記第１のダンパーを開く構成としたものであり、レンジフード停止時に閉じていた第１のダンパーおよび第２のダンパーを、調理時には、第１のダンパーを閉じて、第２のダンパーを開きフード上方から給気をしながら主吸込口から汚染空気の排気を行い、調理後には、第２のダンパーを閉じ第１のダンパー開いて、天井付近に漂っている汚染空気をフード上方の副吸込口で効率よく捕集する。
【００３７】
また、請求項２記載のレンジフードは、副排気通風路と主排気通風路とを仕切る仕切板を設けたものであり、主吸込口から吸い込んだ汚染空気と副吸込口から吸い込んだ汚染空気とは、それぞれ主排気通風路と副排気通風路に仕切られて排気されることとなる。
【００３８】
また、請求項３記載のレンジフードは、副吸込口にフィルターを設けたものであり、調理後の全体換気にて汚染空気に多く含まれる埃を副吸込口に設けたフィルターで捕集する。
【００３９】
また、請求項４記載のレンジフードは、両吸込形送風機の第１の吸込口および第２の吸込口を、上面および下面に設けたものであり、上面と下面に第１および第２の吸込口を設けた両吸込形送風機により、フードの下面に設けた主吸込口とフードの上方に設けた副吸込口から汚染空気を効率よく捕集することとなる。
【００４０】
また、請求項５記載のレンジフードは、両吸込形送風機の第１の吸込口および第２の吸込口を両側面に設けたものであり、両吸込形送風機のそれぞれの側方に設けられた吸込口に連通する、フードの下面に設けた主吸込口とフードの上方に設けた副吸込口とから汚染空気を捕集して排気する。
【００４１】
また、請求項６記載のレンジフードは、主吸込口に第３のダンパーを設け、調理時に前記第３のダンパーを開いて、前記主吸込口から調理による汚染空気を排気する調理時換気を行い、非調理時に前記第３のダンパーを閉じて、副吸込口から部屋全体を換気する全体換気を行う構成としたものであり、調理時には、第３のダンパーを開いて主吸込口から油の多い汚染空気を排気し、非調理時には、埃を多く含む全体換気を副吸込口から行うこととなる。
【００４２】
また、請求項７記載のレンジフードは、両吸込形送風機の第１の吸込口と第２の吸込口を仕切る羽根の主板に開口を設けたものであり、両吸込形送風機の羽根は主板を境に第１の吸込口側および第２の吸込口側に分かれているが、第３のダンパーが開閉して一方の吸込口からしか空気を吸い込まなくても、主板に設けた開口からもう一方の吸込口側にも空気が流れて、羽根を効率的に使用することとなる。
【００４３】
また、請求項８記載のレンジフードは、フード前面に加熱調理器からの操作信号を受信する受信部を設け、受信する前記操作信号に応じて、調理時換気、全体換気または停止に運転状態を切り替える構成としたものであり、加熱調理器の使用状態に応じて自動的にレンジフードの運転状態を切り替える。
【００４４】
また、請求項９記載のレンジフードは、フード前面に加熱調理器の温度を検知する検知部を設け、前記検知部の検知温度に応じて、調理時換気、全体換気または停止に運転状態を切り替える構成としたものであり、加熱調理器の使用状態に応じて自動的にレンジフードの運転状態を切り替える。
【００４５】
また、請求項１０記載のレンジフードは、フード前面に加熱調理器の磁力を検知する検知部を設け、前記検知部の検知磁力に応じて、調理時換気、全体換気または停止に運転状態を切り替える構成としたものであり、とくに電磁力による加熱調理器の使用状態に応じて自動的にレンジフードの運転状態を切り替える。
【００４６】
以下、本発明の実施の形態について図１および図２を参照しながら説明する。
【００４７】
（実施の形態１）
図１に示すように、下面に主吸込口１と天面に排気口２を有したフード３と、フード３の内部に設けられ、互いに反対方向に開口した第１の吸込口４および第２の吸込口５を下面および上面に設けた両吸込形送風機６とを備え、両吸込形送風機６の吐出口７がフード３の排気口２に連通し、第１の吸込口４がフード３の主吸込口１に主排気通風路８を形成して連通するとともに、フード３の上方に副吸込口９を形成し、この副吸込口９と第２の吸込口５とを連通した構成としている。
【００４８】
さらにフード３の上面上部に設けられる幕板１０に副吸込用開口１１を設け、幕板１０より後方側に位置する副吸込口９と連通する副排気通風路１２を形成し、副吸込用開口１１を開閉する第１のダンパー１３を設けている。
【００４９】
また、幕板１０に室外と連通する給気用開口１４を設け、この給気用開口１４を開閉する第２のダンパー１５を設けている。そして、レンジフード停止時には、第２のダンパー１５と第１のダンパー１３を閉じ、調理時のレンジフード運転時には、第２のダンパー１５を開き第１のダンパー１３を閉じ、部屋全体を換気する全体換気では、第２のダンパー１５を閉じ第１のダンパー１３を開く構成としている。
【００５０】
ここで、副吸込用開口１１と給気用開口１４の位置は、副排気通風路１２の形状や配置を変えることで、上下を逆にしたり左右に並べることができる。
【００５１】
また、副吸込口９と第２の吸込口５とを連通する副排気通風路１２と主排気通風路８とを仕切る仕切板１６を設け、さらに、副吸込口９にフィルター１７を設ける。
【００５２】
また、主吸込口１に第３のダンパー１８を設け、この第３のダンパー１８を調理時に開いて、主吸込口１から調理時に発生する汚染空気を排気する調理時換気を行い、非調理時に第３のダンパー１８を閉じて、副吸込口９から全体換気を行う構成とし、さらに、両吸込形送風機６の羽根１９の第１の吸込口４側と第２の吸込口５側を仕切る羽根１９の主板２０に開口２１を設けた構成としている。
【００５３】
上記構成により、加熱調理器（図示せず）から上昇する汚染空気の大部分を主吸込口１で捕集し、主吸込口１で捕集しきれずフード３より漏れて天井付近に漂っている汚染空気をフード３上方に設けた副吸込口９で捕集する。
【００５４】
また、幕板１０により副吸込口９を覆い、幕板１０の副吸込用開口１１は垂直方向に形成されるので埃の堆積がほとんどなく、さらに、副吸込用開口１１はフード３の上方の見えにくい箇所に位置するので、デザイン性を損なわない。また、薄型のフードでフード上方に設けられる副吸込口９が天井から離れている場合でも、幕板１０の副吸込用開口１１を天井近傍に設けることで、天井付近の汚染空気を副吸込口９で効率的に捕集することができる。
【００５５】
また、調理時には、副吸込用開口１１に設けた第１のダンパー１３を閉じ、給気用開口１４に設けた第２のダンパー１５を開いて、フード３の上方から給気をしながら主吸込口１から汚染空気の排気を行い、調理後には、第２のダンパー１５を閉じ第１のダンパー１３を開いて、天井付近に漂っている汚染空気をフード３の上方の副吸込口９で捕集することとなり、調理時には外気を給気して、主吸込口１から効率よく排気し、調理後には、全体換気にて調理時の加熱調理器付近の局所換気で捕集できず天井付近に漂っている部屋全体の汚染空気を、フード３の上方に設けた副吸込口９で捕集して効率良く排気することができる。
【００５６】
また、主吸込口１から吸い込んだ汚染空気と副吸込口９から吸い込んだ汚染空気のそれぞれは、仕切板１６によって主排気通風路８と副排気通風路１２に仕切られて排気され、主吸込口１から吸い込んだ油を多く含んだ汚染空気が副排気通風路１２へ流れるのを防止して、油汚れの発生する部分を主排気通風路８に限定し、掃除の手間を軽減できる。また、部屋全体の換気により埃を多く含んだ空気を副排気通風路１２に限定して排気することにより、埃と油の混合した固着を防止することができる。
【００５７】
また、調理後の全体換気にて排気される汚染空気に多く含まれる埃を副吸込口９に設けたフィルター１７で捕集することで、羽根１９の埃堆積を軽減し、掃除期間を長くすることができる。
【００５８】
また、調理時には、主吸込口１に設けた第３のダンパー１８を開いて主吸込口１から油の多い汚染空気を排気し、非調理時には、第３のダンパー１８を閉じて、埃を多く含む全体換気を副吸込口９から行い、さらに、羽根１９の主板２０の開口２１を通して、吸い込みのないもう一方の羽根の吸込口側にも空気を流すことで、羽根を低回転で使用し、同風量であれば汚染空気をより効率良く排気するとともに、埃の付着を一方の吸込口に限定し、油と埃の付着の混在した固着面積を減らすことで掃除性を改善するとともに、汚れ付着による主吸込口１の性能低下を低減することで捕集性能の低下を防止でき、調理時の局所換気および調理後の全体換気にて羽根１９を効率的に使用できることとなる。
【００５９】
このとき、主吸込口１側からの油煙、あるいは、フィルターを通過し副吸込口９側から吸い込まれるわずかな埃は、主板２０の手前で羽根１９に付着するので、開口２１を通過するものは微少であり、開口２１による羽根１９の汚れへの影響はほとんどない。
【００６０】
このように実施の形態１によれば、深形のフードを備えたレンジフードだけでなく、浅形のフードを備えたレンジフード等のフード３高さが低いレンジフードでも、レンジより上昇する汚染空気が多量に発生した場合等に捕集しきれずに天上付近に漂っている場合に、フード３上面に副吸込口９を設け、この副吸込口９に連通する副吸込用開口１１を幕板１０の上方に設けているので、汚染空気の大部分を主吸込口１で捕集し、主吸込口１で捕集しきれず漏れた汚染空気をフード３上面に設けた副吸込口９で捕集することとなり、天井付近の汚染空気を効果的に排気できることとなる。
【００６１】
なお、本実施の形態１のレンジフードでは、フード３の排気口２を天面に設けているが、側面に設けても、本実施の形態１のレンジフードの奏する作用効果に差異はない。
【００６２】
（実施の形態２）
本発明の実施の形態２のレンジフードは、図２示すように、上記実施の形態１のレンジフードにおける第１の吸込口４および第２の吸込口５に対して、第１の吸込口４Ａおよび第２の吸込口５Ａを、前面および背面の両側面に設けた点、および、フード３Ａ前面に設けられたスイッチ２２に、加熱調理器（図示せず）の操作信号を受信する受信部２３と、コンロの温度および磁力を検知する温度検知部２４および磁力検知部２５を備えた点に特徴がある。
【００６３】
上記構成により、前面と背面に第１の吸込口４Ａと第２の吸込口５Ａを設けた両吸込形送風機６Ａによって、前面側の第１の吸込口４Ａに連通するフード３Ａの下面に設けた主吸込口１Ａと、背面側の第２の吸込口５Ａに連通するフード３Ａの上方に設けた副吸込口９Ａとから汚染空気を捕集して排気することとなり、深形のフードを備えたレンジフード、あるいは、送風機を備えたファンユニットがフード上面に設けられたレンジフードの場合でも、調理時に発生する汚染空気の大部分を主吸込口１Ａで捕集し、主吸込口１Ａで捕集しきれずフード３Ａより漏れた汚染空気を副吸込口９Ａで捕集することにより、部屋内の汚染空気を効率良く捕集することができる。
【００６４】
また、加熱調理器の使用状態、すなわち、調理時の使用・非調理時の停止の操作または使用・停止による温度の差あるいは使用・停止による磁力の有無によって、レンジフードの運転状態を調理時換気、全体換気または停止に切り替える自動運転することで、汚染空気の効果的な換気ができる。
【産業上の利用可能性】
【００６５】
汚染部を換気する局所換気にて汚染空気を捕集して集塵する集塵装置のフード部にも適用できる。
【図面の簡単な説明】
【００６６】
【図１】本発明の実施の形態１のレンジフードを示す側面構成図
【図２】本発明の実施の形態２のレンジフードを示す側面構成図
【図３】従来のレンジフードの断面図
【符号の説明】
【００６７】
１    主吸込口
２    排気口
３    フード
４    第１の吸込口
４Ａ  第１の吸込口
５    第２の吸込口
５Ａ  第２の吸込口
６    両吸込形送風機
６Ａ  両吸込形送風機
７    吐出口
８    主排気通風路
９    副吸込口
１０  幕板
１１  副吸込用開口
１２  副排気通風路
１３  第１のダンパー
１４  給気用開口
１５  第２のダンパー
１６  仕切板
１７  フィルター
１８  第３のダンパー
１９  羽根
２０  主板
２１  開口
２３  受信部
２４  温度検知部
２５  磁力検知部
【図１】
0005292907.tif 000002
【図２】
0005292907.tif 000003
【図３】
0005292907.tif 000004